(57)【要約】【課題】空気弁等の配管機材に町野式口金を着脱する際に、共通した押し輪を利用して大きな可動トルクを得ることにより、町野式口金の脱着を極めて容易に行い得るようにした有用な町野式口金と、これを用いた空気弁を提供することにある。【解決手段】配管機材に用いる口金であって、この口金は、筒状の差し金具と、この差し金具の外周に回転かつ上下動自在に設けた押し輪と、差し金具の下部に固定した筒状体とから成り、この筒状体と配管機材の開口部とを密封状態に取り付けると共に、筒状体と前記押し輪とを、係止手段を介して係止させた状態で押し輪の回動力を筒状体に連動させた配管機材用町野式口金である。【選択図】      図１
2018188927.tif 000002
【特許請求の範囲】
【請求項１】
配管機材に用いる口金であって、この口金は、筒状の差し金具と、この差し金具の外周に回転かつ上下動自在に設けた押し輪と、前記差し金具の下部に固定した筒状体とから成り、この筒状体と前記配管機材の開口部とを密封状態に取り付けると共に、前記筒状体と前記押し輪とを、係止手段を介して係止させた状態で前記押し輪の回動力を前記筒状体に連動させたことを特徴とする配管機材用町野式口金。
【請求項２】
請求項１における係止手段は、前記筒状体に設けた係合突部の側部と前記押し輪の鍔部の側片とを係止させた配管機材用町野式口金。
【請求項３】
請求項１における係止手段は、前記筒状体の上面に形成した環状凹部と係止凹部に前記押し輪と押し輪の鍔部とを下降した状態で係止させた配管機材用町野式口金。
【請求項４】
前記配管機材は、空気弁又は短管である請求項１乃至３の何れか１項に記載の配管機材用町野式口金。
【請求項５】
前記配管機材は、空気弁であり、この空気弁の弁箱の開口部に、請求項１乃至４の何れか１項に記載の配管機材用町野式口金の筒状体を着脱自在に密封状態で固定した空気弁。
【請求項６】
請求項５に記載の空気弁において、前記弁箱内の案内体にフロート弁体と遊動弁体を収納し、前記口金の筒状体を前記空気弁の着脱蓋とし、この着脱蓋を弁箱の開口部に回動状態で係合固定させた空気弁。
【請求項７】
請求項５に記載の空気弁において、前記弁箱内の案内体にフロート弁体と遊動弁体を収納し、前記口金の筒状体を前記空気弁の着脱蓋とし、この着脱蓋を弁箱の開口部に固定手段を介して固定させた空気弁。
【請求項８】
請求項１乃至７の何れか１項に記載の配管機材用町野式口金を、配管内の洗浄、メンテナンス或は消火栓に用いるようにした町野式口金と、これを用いた空気弁。
【発明の詳細な説明】
【技術分野】
【０００１】
本発明は、配管機材用町野式口金とこれを用いた空気弁に関し、特に大口径の場合であっても容易かつ確実な着脱自在性が確保された配管機材用町野式口金とこれを用いた空気弁に関する。
【背景技術】
【０００２】
町野式口金は、消火栓に消防ホースの接続に用いられる他、空気弁等のバルブや短管、消火栓のメスネジ、或はその他の配管機材に脱着可能として、例えば、洗管、臨時給水口、水圧測定などに用いられている。特に、町野式口金は、上記配管機材に対して容易に取り付け・取り外し可能とするニーズが有り、一般にこの口金は、配管機材の開口部に適宜の手段で着脱自在に設けられる。この内、ねじ込み式の口金は、例えば特許文献１に開示されている。
【０００３】
同文献１においては、押輪が外嵌された差し金具をメネジで固着可能とした口金受けが示されている。この口金受けは、短尺の筒型形状の金具であり、上部の外周は外方へ延出してナット状の鍔部が形成され、下部の外周面にはオネジが形成されており、ナット状の鍔部を工具で回動させることにより、このオネジが弁箱のメネジと着脱自在となっている。また、口金受けは、弁箱上端部の内周側にはパッキンを介在させるようにして螺着され、このパッキンは、弁箱と口金受けとにより上下から圧縮された状態となっている。
【０００４】
ところで、配管機材の内、例えば空気弁の弁箱の開口部に町野式口金を着脱する場合は、次のような各例が既に知られている。すなわち、特許文献２の町野式口金（差し金具）は、弁箱の上方開口部に着脱蓋（口金）を固定する固定手段として、着脱蓋の側面にアーム係合片が突出形成され、これに対応して弁箱側には切欠き状の案内部が設けられており、この案内部にアーム係合片を位置合わせしながら着脱蓋を差し込み、アーム係合片をストッパに係合させる方向に所定角度回転させ、ロックピンとアーム係合片が係合することで、手作業にて極めて容易に着脱蓋が弁箱に固定保持可能な構造である。また、弁箱上方の開口部には縮径した嵌合部が形成され、着脱蓋はこの嵌合部に嵌合可能であると共に、嵌合した際は、嵌合部の上部に形成された環状凹溝に装着されたパッキンが流体をシールする構造となっている。
【０００５】
また、特許文献３の町野式口金には、レバー操作により着脱可能な構造が示されている。すなわち、同文献２の図１０には、差し込み式（町野式）の口金と２本のレバーが示されており、口金には蓋体の凹状の係合溝と同様の係合溝が形成され、弁箱のレバーの係合部が係合溝に両側から圧接し、弁箱に口金がかたく結合した状態が示されている。この結合状態においては口金下端面が環状のシール面となり、これに応じて弁箱の蓋体受部に設けられた環状のシール部材と密着して流体をシールする構造となっている。
【０００６】
さらに、先行技術文献は示していないが、空気弁を応急の給水口として利用可能とするため、空気弁の弁箱の開口部に対して遊動弁体やフロート弁体を押し下げる専用の玉押器をネジ締結で取り付け、さらにその開口部に町野式口金を脱着自在とすることにより、空気弁に脱着できるようにした口金の構造も知られている。
【先行技術文献】
【特許文献】
【０００７】
【特許文献１】特開平１１−１７３４３８号公報
【特許文献２】特開２０１５−１１７８２７号公報
【特許文献３】特開２０１２−２５５５５０号公報
【発明の概要】
【発明が解決しようとする課題】
【０００８】
しかしながら、特許文献２の町野式口金は、取り外しの際は、通常であれば、口金（差し金具）を把持して着脱蓋に回転トルクを与えるようにするが、そもそも口金は把持して力を伝え難い構造であると共に、口金に付着した水等によって手が滑りやすい場合もあり、また、このような周面シール構造においては、シール部材（或はメタルタッチ等のシール面）がシールされて着脱蓋（筒状体）と固着状態となっている場合は、特に大きなトルクが必要となる。とりわけ、例えばΦ７５仕様など、大口径の場合においては、嵌合部に嵌合した筒状体とシール部材（シール面）とのシール面積が大きくなり、しかも、シール部位の圧着が継続されるため、差し金具を手で回しても筒状体を回動させるためのトルクが不足しがちとなり、口金を容易に取り外しできなくなるおそれがある。このことは、口金を取り付ける際においても、十分なトルクが確保できないおそれがある点で同様である。
【０００９】
また、特許文献３の町野式口金は、レバー操作による着脱構造であるから、レバーを回動させる可動スペースを余裕を持って確保する必要があるから、空気弁の不必要な大型化も避けられず空気弁ＢＯＸ内で作業できないおそれもある。また、梃子の原理で増幅された大きな力で口金が弁箱に押圧されることになるので、口金下端面がシール部材に密着して口金の取り外しが困難となるおそれがあり、特に、作用点となる口金下端面がレバーの支点に近い場合や力点となるレバーハンドルが支点から遠い場合など、レバーの構造次第で押圧力が増加して口金が強固に密着し易くなる。このようなシール部材と口金とが過度に密着して取り外しが困難となる問題は、シール部材が端面シールにより締め付けられる特許文献１の構造でも同様に生じるものとなる。さらに、特許文献２と同様に、空気弁の口径が大径の場合などはシール面積が大きくなるから、この問題はさらに顕著とならざるを得ない。
【００１０】
さらに、専用の玉押器をネジ締結により空気弁に着脱する構造の場合においても、Φ７５仕様など、大口径の場合には、特に大きなトルクが必要となり、容易に口金の取り外しができなくなるおそれがある。また、以下の特許文献１の場合と同様に、別途の工具が不可欠となる。
【００１１】
特許文献１の口金においては、ネジの締め込みに大きなトルクを要するから、着脱の際にスパナやレバーハンドル等、所定の工具が必要不可欠となる。このため、同文献１の口金を配管機材に着脱する際、所定の工具を必ず持参して作業しなければならず、持ち運びや部品管理等、アダプタとしての口金の利便性が損なわれてしまう。また、消火栓や、水道本管に設けられた空気弁等は、最小限に確保された狭いスペース内にコンパクトに収納されていることが通常なので、口金の着脱の際は、この狭いスペース内で工具を駆使した困難な作業を強いられるものとなり、手作業による場合と比べて作業性が極めて悪くなる
【００１２】
上述のように、消火栓や空気弁等の配管機材に用いるアダプタ構造としての口金には、簡素でコンパクトな構成はもとより、配管機材の口径やシール構造などに拘わらず、工具不要で手作業にて簡単に着脱できる良好な作業性と、シール性や強度などの接続性も良好であることの両立が求められるが、このような課題を解決した従来技術の提案は未だなされていない。
【００１３】
そこで、本発明は上記問題点を解決するために開発されたものであり、その目的とするところは、空気弁等の配管機材に町野式口金を着脱する際に、押し輪を利用して大きな可動トルクを得ることにより、町野式口金の脱着を極めて容易に行い得るようにした有用な町野式口金と、これを用いた空気弁を提供することにある。
【課題を解決するための手段】
【００１４】
上記目的を達成するため、請求項１に係る発明は、配管機材に用いる口金であって、この口金は、筒状の差し金具と、この差し金具の外周に回転かつ上下動自在に設けた押し輪と、差し金具の下部に固定した筒状体とから成り、この筒状体と配管機材の開口部とを密封状態に取り付けると共に、筒状体と前記押し輪とを、係止手段を介して係止させた状態で押し輪の回動力を筒状体に連動させた配管機材用町野式口金である。
【００１５】
請求項２に係る発明は、係止手段は、筒状体に設けた係合突部の側部と押し輪の鍔部の側片とを係止させた配管機材用町野式口金である。
【００１６】
請求項３に係る発明は、係止手段は、筒状体の上面に形成した環状凹部と係止凹部に押し輪と押し輪の鍔部とを下降した状態で係止させた配管機材用町野式口金である。
【００１７】
請求項４に係る発明は、配管機材は、空気弁又は短管である配管機材用町野式口金である。
【００１８】
請求項５に係る発明は、配管機材は、空気弁であり、この空気弁の弁箱の開口部に、配管機材用町野式口金の筒状体を着脱自在に密封状態で固定した空気弁である。
【００１９】
請求項６に係る発明は、空気弁において、弁箱内の案内体にフロート弁体と遊動弁体を収納し、口金の筒状体を空気弁の着脱蓋とし、この着脱蓋を弁箱の開口部に回動状態で係合固定させた空気弁である。
【００２０】
請求項７に係る発明は、記載の空気弁において、弁箱内の案内体にフロート弁体と遊動弁体を収納し、口金の筒状体を空気弁の着脱蓋とし、この着脱蓋を弁箱の開口部に固定手段を介して固定させた空気弁である。
【００２１】
請求項８に係る発明は、町野式口金を、配管内の洗浄、メンテナンス或は消火栓に用いるようにした配管機材用町野式口金と、これを用いた空気弁である。
【発明の効果】
【００２２】
請求項１に記載の発明によると、差し金具と押し輪と筒状体とから成る口金において、筒状体と押し輪とを、係止手段を介して係止させた状態で押し輪の回動力を筒状体に連動させたから、押し輪を回すだけで、筒状体が配管機材の開口部に密封状態で密着していても、十分なトルクをもって容易に回動させることができ、よって、口金の着脱作業を確実に行うことができる。また、押し輪を回動操作するから、差し金具を掴んで回す場合のように、掴んだ状態で回し難かったり滑り易かったりすることが無いため、着脱作業が容易化すると共に、差し金具に直接トルクを与えないから、差し金具と筒状体との固着を損傷することも無い。しかも、口金を取り付ける際にも押し輪を利用可能となり、町野式口金の構造を最大限活用できる。
【００２３】
請求項２に記載の発明によると、係止手段は、筒状体に設けた係合突部の側部と押し輪の鍔部の側片とを係止させたから、極めて簡易でありながら強固でコンパクトな構造であり、確実な係止力を発揮して、押し輪のトルクを筒状体に伝えることができる。また、係合突部の側部が係合する鍔部の側片は回動中心側に位置し、一方で、鍔部にトルクを与える位置が外方寄りの場合には、梃子の原理が発揮されて小さい回動力で大きなトルクを伝えることも可能となる。さらに、口金の構造が大型化したり複雑化することもない。
【００２４】
請求項３に記載の発明によると、押し輪を適宜方向に回転させると、筒状体の上面に少なくとも１つ形成した係止凹部に鍔部の基部が下降しながら嵌り込むと同時に押し輪が環状凹部に嵌り込んだ状態で鍔部の基部が係止凹部の端部に係止され、押し輪が筒状体に確実に係止されるので、押し輪の鍔部を把持して回転させて大きな回転トルクを得て筒状体を容易に回転でき、町野式口金を容易に着脱できる等の有用な効果がある。
【００２５】
請求項４に記載の発明によると、配管機材は空気弁又は短管であるから、空気弁や短管を備えた水道本管などにおいて利便性の高い町野式口金の提供が可能となる。
【００２６】
請求項５に記載の発明によると、配管機材は空気弁であり、この空気弁の弁箱の開口部に口金の筒状体をシール部材を介して着脱自在に固定したから、口金の着脱が容易かつ確実に行えることで作業性が極めて良好であり、また、この口金により、空気弁を消火栓としても用いることができるほか、管路内洗管等のための所定の単管の接続部位や臨時の給水口として、或は水圧測定等のための各種調査機器の出入口やメンテナンス用の開口部として等、様々な用途に利用可能な配管部位として兼用化することができる汎用性の高い空気弁の提供が可能となる。
【００２７】
請求項６の記載の発明によると、空気弁において、弁箱内の案内体にフロート弁体と遊動弁体を収納し、口金の筒状体を空気弁の着脱蓋（筒状体）とし、この着脱蓋を弁箱の開口部に回動状態で係合固定させたから、空気弁としての機能を有しつつ、別途のアダプタ（口金）を要することなく各種の用途に用いることができると共に、着脱蓋（筒状体）を開口部に回動状態で係合固定させるだけで口金の着脱作業を容易に行える空気弁の提供が可能となる。
【００２８】
請求項７に記載の発明によると、空気弁において、弁箱内の案内体にフロート弁体と遊動弁体を収納し、口金の筒状体を空気弁の着脱蓋（筒状体）とし、この着脱蓋を弁箱の開口部に固定手段を介して固定させたから、空気弁としての機能を有しつつ、別途のアダプタ（口金）を要することなく各種の用途に用いることができると共に、口金の着脱作業も、固定手段により、確実に行うことができる空気弁の提供が可能となる。
【００２９】
請求項８に記載の発明によると、町野式口金を、配管内の洗浄、メンテナンス或は消火栓に用いるようにしたから、この口金と空気弁を配管に配備することにより、これらの用途に容易に兼用化可能な配管部位となり、その利用価値は極めて高い。
【図面の簡単な説明】
【００３０】
【図１】本発明の配管機材用町野式口金の第１実施形態を示す縦断面図である。
【図２】図１におけるＡ−Ａ線断面図である。
【図３】本発明の配管機材用町野式口金の第２実施形態を示す側面図である。
【図４】図３におけるＢ−Ｂ線断面図である。
【図５】図１に示した本発明の第１実施形態の配管機材用町野式口金に、町野式カップリングの一例を接続した状態を示した縦断面図である。
【図６】図５のＰ部拡大図である。
【図７】図１に示した本発明の第１実施形態の配管機材用町野式口金を、空気弁の着脱蓋とした一例を示した縦断面図である。
【図８】従来の配管機材用町野式口金を備えた空気弁の縦断面図である。
【図９】図８において、内部部品を取り外した状態を示す縦断面図である。
【発明を実施するための形態】
【００３１】
以下、本発明の実施形態を図面を参照して詳細に説明する。図１は、本発明の配管機材用町野式口金の第１実施形態の縦断面図であり、図２は、図１のＡ−Ａ線断面図である。また、図３は、本発明の配管機材用町野式口金の第２実施形態の縦断面図であり、図４は、図３のＢ−Ｂ線断面図である。
【００３２】
先ず、本発明の口金の実施形態の構造を説明する。図１〜４に示すように、本発明の配管機材用町野式口金は、後述する配管機材に用いる口金１であって、この口金１は、筒状の差し金具２と、この差し金具２の外周３に、回転自在、且つ、上下動自在に設けた押し輪４と、差し金具２の下部５に固定した筒状体６とから成る。差し金具２の口径は、例えばφ４０、５０、６５、７５に設定される。
【００３３】
図１、２は、本発明の配管機材用町野式口金１の第１実施形態の構造を示している。
【００３４】
図１において、本例の筒状の差し金具２は、ＳＵＳ３０４製であり、上端部には段部７ａを有する鍔状の係止部７が形成され、下部５の外周面側は、止水用としてのＯリング８を介して筒状体６上部内周面側の固定部９に固着されている。本実施形態では、下部５のオネジと固定部９のメネジを螺着すると共に、このオネジとメネジとのネジ部に緩み止めのための接着剤を塗布することで、強固に固着するようにしている。なお、固着手段としては、上記形態のほか、下部５を固定部９に嵌合固定したり、Ｏリング８を省略して接着剤で接着シールする等、実施に応じて選択可能であり、また、差し金具２と筒状体６とを別部材でなく一体に形成してもよい。ただし、一体に形成した場合でも、少なくとも、町野式口金（差し口）として機能できるように構成する必要がある。
【００３５】
図１、２に示すように、本例の押し輪４は、ＳＣＳ１３製であり、短尺の筒部１０と、この筒部１０の軸心方向に対して垂直方向に突出した翼状の鍔部１１が２枚対称的に一体形成されており、筒部１０は、差し金具２の外周面部３ａに対し僅かな遊びを有して遊嵌状態で外嵌されている。同図において、差し金具２の下部５が固定部９に固定されているから、押し輪４（筒部１０）は、差し金具２の外周面部３ａに対して回転自在であると共に、筒状体６の上端面１２から差し金具２の係止部７までの間を上下動自在となっている。後述のように、この回動と上下動により、押し輪４によって町野式カップリングの取り外しや、本発明の係止手段との係合が可能となる。
【００３６】
図１において、本例の筒状体６は、ＣＡＣ４０６製であり、上部側が所定規格に応じて小径に形成された小径部１３（頸部）となり、下部側が大口径の配管機材に応じて大径に形成された大径部１４となっていることから、全体が略ラッパ形状を呈した筒状部材となっている。また、図２において、後述のように、配管機材と回転係合により着脱自在とするためのアーム係合片１５が設けられている。このアーム係合片１５は、筒状体６の側面に一体的に等間隔（１２０度間隔に３本）に突出形成され、後述の段部４５に当接可能に設けられており、前後側で異なる傾斜角度に形成され、一方側に緩傾斜面１５ａ、他方側に急傾斜面１５ｂが形成されている。さらに、位置合わせのための表示部１６も均等（１２０度間隔に３個）に設けられている。
【００３７】
図１、２に示すように、本実施形態の係止手段としての係合突部１７は、筒状体６の大径部１４と小径部１３との間の傾斜面１８外周側に、小径部１３に沿うようにして、この小径部１３と一体的に上方に向けて棒状に形成されており、上端面１２より上側に突出している部分は、略円柱形状を呈している。この上端面１２より上側に突出している係合突部１７の側部１７ａが、後述のように、回動自在な鍔部１１の側片１１ａと係合可能となる。なお、このような係合突部１７は、本例では１つであるが、２つ以上設けるようにしてもよく、係止手段として上記のように機能し得る係合突部を設ける数、位置、形状等は、実施に応じて任意に選択可能である。
【００３８】
図３、４は、本発明の配管機材用町野式口金２０の第２実施形態の構造を示している。なお、図１、２と同一部分には同一符号を付してその説明を省略する。
【００３９】
本実施形態においては、係止手段としての環状凹部２１を、小径部１３の上面２２に形成している。具体的には、図４に示すように、小径部１３の肉厚をやや厚く形成し、小径部１３の外径が押し輪４（筒部１０）の外径よりやや外側となるように設定した上で、小径部１３の上面２２の内径側を、筒部１０の肉厚より僅かに大きい幅で断面Ｌ字状に切り欠くことで、筒部１０が自由に嵌り込むことができるような環状凹部２１を形成すると共に、この環状凹部２１の底面から小径部１３外周面側に繋がるように上面２２を切り欠いて段部２３ａを形成することで、押し輪４の鍔部１１の位置・形状に適合した係止凹部２３を形成している。後述のように、このように形成された環状凹部２１は、押し輪４の鍔部１１の位置が係止凹部２３に一致した際、押し輪４（筒部１０）が、この環状凹部２１に嵌り込むと同時に、鍔部１１が係止凹部２３に嵌って、押し輪４の回転を筒状体６に対して係止可能となっている。
【００４０】
次に、本発明の口金の実施形態の作用を説明する。本発明の口金では、筒状体６と押し輪４とを、係止手段を介して係止させた状態で押し輪４の回動力を筒状体６に連動させるようにしている。このような係止手段は、特に制限なく実施に応じて任意に選択可能であるが、通常は、押し輪４と筒状体６とを物理的に係合させることで、押し輪４に与えた回動力を筒状体６に伝えることができるような手段であり、押し輪４側、筒状体６側の何れに設けられてもよく、さらに、これらとは別途に設けられてもよい。
【００４１】
図１、２に示す本発明の第１実施形態の口金１における係止手段は、筒状体６に設けた係合突部１７の側部１７ａと、押し輪４の鍔部１１の側片１１ａとを係止させるようにしたものである。具体的には、図１、２に実線で示すように、押し輪４は自重により筒部１０下端面は小径部１３の上端面１２に面接触状に当接して載置されており、この押し輪４を、図２に示す矢印方向に回動させれば、同図に２点鎖線で示すように、鍔部１１の側片１１ａの高さが係合突部１７の高さより低い場合は、係合突部１７の側部１７ａに当てることができるので、鍔部１１の回動を係止させることができる。よって、この係止状態のまま、さらに矢印方向へ押し輪４を回動させることで、係合突部１７を介して筒状体６に回動力を伝えることができ、筒状体６を容易に回すことが可能となる。
【００４２】
一方で、図３、４に示す本発明の第２実施形態の口金２０における係止手段は、筒状体６の上面２２に形成した環状凹部２１に押し輪４と押し輪４の鍔部１１とを下降した状態で係止させるようにしたものである。具体的には、図３、４に実線で示すように、鍔部１１と係止凹部２３との位置が一致していない場合、押し輪４は自重により小径部１３の上面２２に面接触状に当接して載置されており、この押し輪４を、図４に示す矢印方向に回動させれば、同図に２点鎖線で示すように、鍔部１１の位置が係止凹部２３の位置に一致した際、鍔部１１が下降して係止凹部２３に嵌り込み、これに伴って、筒部１０も下降して環状凹部２１に嵌り込むことで、押し輪４全体が一段下降したような状態となる。この下降状態では、上記のように係止凹部２３の位置・形状は鍔部の位置・形状と適合しているから、鍔部１１は係止凹部２３に対して容易に嵌合又は嵌合の解除が可能であるものの、回転する方向には鍔部１１は係止凹部２３の段部２３ａにほぼ規制された状態となり、このため、押し輪４の回動は係止されることになる。よって、この係止状態のまま、さらに矢印方向へ押し輪４を回動させることで、係止凹部２３の段部２３ａを介して筒状体６に回動力を伝えることができ、筒状体６を容易に回すことが可能となる。
【００４３】
以上のように、本例の口金（１、２０）は、回動力を与える押し輪４を、筒状体６に設けた係止手段に直接引っ掛けることで、押し輪４と筒状体６とを共回りさせるようにしている。よって、本発明の口金を着脱する操作をする作業者は、通常、押し輪４の鍔部１１を把持して、押し輪４と係止手段が係合した状態を維持させながら押し輪４を回動させるだけで、力の限り、確実なトルクを筒状体６に与えることができるので、たとえ筒状体６が配管機材のシール部材にかたく結合していたり、配管機材の口径が大きくシール部材との摩擦力が強い場合であっても、口金の取り外し（又は取り付け）に支障が生じるおそれがない。また、町野式として、本来把持するためのハンドルとして設けられている鍔部１１（押し輪４）を手作業で扱うのみの容易な操作だけで着脱作業を完了できる。なお、図２、４において、押し輪４の回動方向を図示しているが、特にこの方向に制限されるものではなく、図示と反対方向に回して係止手段と係合させるようにしてもよい。
【００４４】
続いて、本発明の配管機材用町野式口金と町野式カップリングとを接続する場合を説明する。図５は、町野式カップリングの構造の一例を示し、この町野式カップリング２５と、図１、２に示す本発明の第１実施形態の口金１との接続が完了した状態を示す縦断面図であり、図６は、図５のＰ部を拡大した部分拡大断面図である。また、図５は、押し輪４の鍔部１０の下面が、係合突部１７の上端面１７ｂに乗った状態を示している。当然ながら、この接続状態は第２実施形態の構造でも同様である。
【００４５】
図５において、町野式カップリング２５は、外周にゴムバンド２６を有する締め輪２７と、この締め輪２７に止ねじ等により内嵌固着された受け金具２８を先端部に備え、差し口である町野式口金に対して、受け口となるカップリングであり、受け金具２８には、同図では開閉弁２９が連結された例を示しているが、これ以外にも例えば、消防用などのホース、各種のパイプ、バルブ、エルボやストレートなどの短管、さらには水圧測定用の圧力ゲージなどの各種の測定機器や応急給水機器、或いはケーブルや内視鏡カメラなどの各種の管内調査機器など、特に制限なく実施に応じて任意に選択されるものである。
【００４６】
締め輪２７は、断面Ｌ字状となるリング形状の外観に形成され、町野式カップリング２５の先端面２７ａと、この先端面２７ａには口金１の筒部１０の外径に略等しい内径の開口部３０を有しており、また、内周側には受け金具２８との間に爪座３１を介して爪部３２を備えている。爪部３２は、爪バネ３３で内周側に向けて弾発されて突出可能となっている。受け金具２８は、口金２０の係止部７の外径に略等しい開口部３４が開口しており、この開口部３４の奥側には、ゴムパッキン３５を備えられ、その奥側には、係止部７先端面と対向して当接可能な受け面３６が形成されている。
【００４７】
図５に示すように、この町野式カップリング２５と、図１、２に示した口金１との接続が完了した状態においては、受け金具２８の開口部３４から受け面３６までの深さが、差し金具２先端の係止部７の長さに適合するように設けられているため、係止部７が受け金具２８内部に挿入され、この状態では、係止部７の段部７ａの位置が、爪部３２の位置に一致するので、爪部３２が突出可能となり段部７ａと係合している。また、係止部７の外周面は、ゴムパッキン３５に密着して流体を密封シール可能となる。よって、接続の際は、差し金具２が締め輪２７の開口部３０内に挿入していくに伴い、係止部７の外周面により爪部３２の傾斜面がスライド付勢されて没入方向へ押し込まれていき、係止部７の先端面が受け面３６に当たって挿入が係止される位置で、段部７ａと爪部３２との位置が一致して没入されていた爪部３２が突出して段部７ａに係合し、この係合によって差し金具２が抜け止めされて、口金１と町野式カップリング２５との接続が完了することになる。
【００４８】
同図の町野式カップリング２５の接続を解除するには、図示していないが、例えば実公昭３８−３９５９号公報に示されるように、鍔部１１の操作により押し輪４を町野式カップリング２５側に移動させることでおこなう。具体的には、筒部１０を、段部７ａと係合している爪部３２の弾発に抗して押し込むと、爪部３２がスライド付勢されて押し込まれて段部７ａとの係合が外され、これにより町野式カップリング２５の抜け止めが解除されるので、この状態になると町野式カップリング２５を引き抜くための規制がなくなり、そのまま引き抜きが可能となり接続を外すことができる。
【００４９】
図５に示すように、この第１実施形態における係合突部１７の高さは、筒状体６の上端面１２から約３〜４ｍｍが上に向けて略円柱状に突出するように設定している。高さが高過ぎることなく、この程度に設定しておくことにより、接続状態にある町野式カップリング２５の先端面２７ａの高さと係合突部１７の高さとの間に、鍔部１１の厚み以上の十分な間隔が確保され、しかも、図６に示すように、鍔部１０が上端面１７ｂに乗った状態においても、爪部３２と筒部１０の上面１０ａとの間に遊びの間隔ｈを持たせることができるので、押し輪４は係合突部１７や爪部３２に規制されることなく係合突部１７を乗り越えて自由に回動できる。また、口金１に町野式カップリング２５を接続しようとする際、たとえ押し輪４の鍔部１１が係合突部１７の上端面１７ｂに乗った状態で接続しても、先端面２７ａは鍔部１１まで届くことがなく、しかも、図６に示すように、筒部１０の上面１０ａも爪部３２まで届くことがないから、押し輪４の姿勢・状態に依らずカップリングの接続に支障が生じることがない。このような押し輪４の状態に依らず支障なくカップリングを接続できる利点は、第２実施形態においても同様である。
【００５０】
次に、本発明の町野式口金を、配管機材に用いた実施形態を説明する。本発明の口金は、筒状体６と配管機材の開口部３７とを、シール部材（Ｕパッキン４４）を介して密封状態に取り付けるものであり、本実施形態において、配管機材は、空気弁３８であって、この空気弁３８の弁箱３９の開口部３７に、口金の筒状体６を、シール部材を介して着脱自在に密封状態で固定したものである。ただし、配管機材としては空気弁３８のほか、図示していないが、各種のバルブや短管など、特に制限されず実施に応じて任意に選択可能である。また、本例ではシール手段としてＵパッキン４４を用いているが、この他、メタルタッチにより形成されるシール面など、シール部材を有さないシール形態であってもよい。
【００５１】
図７は、配管機材としての空気弁３８の弁箱３９の構造の一例を示し、図１、２に示した本発明の第１実施形態の口金１を弁箱３９の開口部３７に着脱自在に固定した状態を示した縦断面図である。当然ながら、第２実施形態も、これと同様に空気弁３８の弁箱３９の開口部３７に接続可能である。同図の弁箱３９は、大口径用なので、以下に説明するように、図８、９に示した小口径用の弁箱３９と構造がやや異なっている。空気弁３８は、例えば、図示しない水道本管の配管路などに設けられ、水道水に含まれる空気泡や空気溜まりによる空気を外部に排出可能に設けられる。特に好ましい空気弁３８の設置場所としては、管路の敷設勾配が変化するときの最頂部、直線状の水平管路に対して一定間隔（例えば、３００〜５００ｍ）ごと、水管路の中央部、管路の主弁前後の空気の供給や排気の必要な箇所などがある。また、対象となる流体を水道水以外の液体としてもよく、この液体に含まれる余分な空気などを排出することもできる。この空気弁３８は、例えば、洗管作業、圧力測定、臨時給水等に適している。
【００５２】
図７において、弁箱３９は、例えばダクタイル鋳鉄製からなり、この弁箱３９内には、図示していないが、エボナイトなどの樹脂製のフロート弁体と、ポリプロピレンなどの樹脂製の遊動弁体とを収納した、ＡＢＳ樹脂などの樹脂製からなる案内体が、後述の図８、９の空気弁１０１と同様にして配設可能であると共に、弁箱３９の上方には開口部３７が形成されている。この開口部３７には、ＣＡＣ４０６などの金属製の筒状体６が適宜の固定手段を介して一時的に固定可能となっており、このため、口金１を、空気弁３８に着脱自在なオプション品等とすることができる。この空気弁３８は、後述のように、必要に応じて筒状体６と、フロート弁体と遊動弁体とを収納した案内体を弁箱３９の開口部３７より取り出し、かつ、取り出した状態の弁箱３９の開口部３７に筒状体６が固定される。
【００５３】
なお、図示していないが、筒状体６の下端面に適宜の構造から成る大空気孔用の弁座を設け、この筒状体６を、開口部３７に着脱できる蓋体として用い、口金１を空気弁３８に常時固定・内蔵するようにした形態とすることも可能である。
【００５４】
弁箱３９は、下部にはくびれ部４１が形成された略筒状（ティーカップ形状）であり、上方に開口部３７、下部に流入口６９が設けられ、これらの間には収納室４３が設けられる。弁箱３９の開口部３７側にはこの開口部３７よりも縮径した嵌合部４２が形成され、この嵌合部４２の上部に環状凹溝４４ａが形成されている。環状凹溝４４ａには、例えばシリンダ用の材料で形成されたＵパッキン４４（シール部材）が装着されている。開口部３７と嵌合部４２との間には段部４５が設けられ、この段部４５にはスラストリング４６が装着され、開口部３７の上面には、ボルト部材４７のおねじを螺着するためのめねじ４８が複数箇所に芯出し加工により設けられる。
【００５５】
弁箱３９下部の流入口６９は、所定の流入面積が確保されるように設けられており、また、下部外周にはフランジ４９が設けられ、このフランジ４９を介して図示しない補修弁等（例えば、ボール口径が空気弁３８の内部流路の口径が略同じであり、ステムの９０度回動で開閉可能なボール弁）が着脱可能に設けられる。収納室４３は、案内体を収納可能な内径に設けられ、この収納室４３の下部には案内体載置用の案内台座５０が内方に向けて突出形成されている。収納室４３の内周側には複数の側面ガイド５１が突出形成され、この側面ガイド５１は、案内体を芯出し状態でガイド可能に、案内体の外周に当接可能な適宜の高さに設けられる。
【００５６】
本例の口金１を空気弁３８に着脱する構造としては、弁箱３９内の案内体にフロート弁体と遊動弁体とを収納する一方で、筒状体６（着脱蓋）を弁箱３９の開口部３７に回動状態で係合固定させた構造を採用している。これにより、口金１は筒状体６を介して弁箱３９に取り付けられ、内部部品の清掃や点検などに際して必要に応じて着脱される。なお、図７に示した空気弁３８に収納する案内体（フロート弁体、遊動弁体）は図示していないが、図８、９において後述する案内体５２（フロート弁体５３、遊動弁体５４）の構成と同様に構成されたものを用いることができる。
【００５７】
固定蓋５５は、筒状体６を位置決め固定可能に弁箱３９の上面３９ａに取付け可能に設けられる。固定蓋５５の中央には穴部５６が形成され、この穴部５６に筒状体６を挿入可能になっている。固定蓋５５においてめねじ４８が対応する位置には貫通孔５７が形成されている。穴部５６の一部には、アーム係合片１５が通過するための切り欠き状の案内部５８が形成され、この案内部５８に続けて下方に突出する図示しないストッパが形成され、このストッパにより筒状体６の回動範囲が設定される。固定蓋５５は弁箱上面３９ａに載置され、貫通孔５７からめねじ４８におねじが螺着されることでボルト部材４７が弁箱３９に固定される。この場合、めねじ４８が芯出し加工されていることにより、芯ずれが防止された状態で固定蓋５５が固定される。
【００５８】
ロックピン５９は固定蓋５５に取付けられ、図示しないスプリングの付勢力で筒状体６に係合してこの筒状体６を所定の位置決め状態に装着可能に設けられる。ロックピン５９は、手指で把持して外方に引っ張ることで筒状体６への係止を外し、この状態で着脱蓋４０を回転することで弁箱３９から筒状体６を着脱可能になっている。
【００５９】
図７において、空気弁として機能させる際に、筒状体６を弁箱３９に取付ける場合には、まず、フロート弁体、遊動弁体を案内体に収納し、この案内体を開口部３７から挿入した上で、筒状体６を弁箱３９の上方より被せ、アーム係合片１５と案内部５８との位置を合わせながら筒状体６を差し込み、図示しないストッパに対してアーム係合片１５を係合させる方向に筒状体６を所定角度回転させる。この回転により、ロックピン５９がアーム係合片１５の緩傾斜面１５ａにより自動的に没入方向に移動する。筒状体６がセット位置まで達すると、急傾斜面１５ｂがロックピン５９の位置に到達することで、ロックピン５９がスプリングの付勢力で突出して急傾斜面１５ｂ側に係合する。このとき、緩傾斜面１５ａがストッパの側面部位に衝突することから、アーム係合片１５が両側から挟まれて固定保持される。
【００６０】
筒状体６を取り外す際には、ロックピン５９を把持して引っ張って急傾斜面１５ｂへの係止を外しながら、筒状体６を取り出し方向に所定角度回転させる。この場合、アーム係合片１５が段部４５に当接した状態で、スラストリング４６により支持されていることで回転がスムーズになる。アーム係合片１５の急傾斜面１５ｂが固定蓋５５のストッパに当接したときに、筒状体６を引き上げるようにすれば抜き取りできる。このとき、案内体５２が収納室４３内を上下動可能になっていることで、筒状体６の着脱が容易になる。
【００６１】
さらに、図示していないが、筒状体６を、弁箱３９の開口部３７にアーム係合片１５による上記の構成とは別構成の固定手段を介して固定させることもできる。具体的には、例えば、凹状の係合溝を有する一体型の着脱蓋と、係合溝に係合可能な係合部、操作部を有する回転可能なレバーを有する弁箱とを設け、弁箱に着脱蓋を仮着した状態でレバーを回転させて係合部を係合溝に圧接状態で係合させるか、或はこの状態からレバーを回転させて係合を係合溝から離反させることにより、フロート弁体、遊動弁体を収納した案内体を仮着した着脱蓋を弁箱に着脱できる。
【００６２】
このように、図７に示した本発明の空気弁３８は、例えば、緊急が要される臨時の消火栓として利用する場合、Φ７５などの大口径仕様であって、Ｕパッキン４４と筒状体６とのシールにおいて摩擦力が大きかったり強固に周面シールが密着している等により、筒状体６の取り外しに大きなトルクが必要となる場合であっても、空気弁３８の設置場所に別部品を持ち運ぶことなく容易かつ迅速に筒状体６を回動させることができ、よって簡単に空気弁３８を消火栓に切り替えて使用でき、空気弁３８の利便性を大幅に高めることができる。
【００６３】
特に、空気弁等に用いる町野式口金の周面シールは、そのシール性能から、Ｕパッキンが使用されており、このパッキンは、シール性が良好に維持されつつ摺動抵抗も抑えられるものの、口金の口径が大きい場合にはシール面積の増大に伴い回転トルクが高まり易くなり、口金は弁箱から取り外し難くなり易い。これに対して本発明の口金は係止手段を備えて容易かつ迅速安全に、確実なトルクを伝えることにより、口金の取り外し、或は取り付けを確実なものとすることができるので、その有用性は極めて高いものとなる。
【００６４】
なお、図８、９は、従来の町野式口金１００を備えた空気弁１０１の縦断面図であり、本願出願人による上記特許文献２に開示の空気弁と同様であり、小口径用なので、図７に示した弁箱と構造がやや異なるが、同図に示した弁箱３９の構造と同一部分は同一符号を付してその説明を省略する。この口金１００においては、大空気孔（大空気孔用弁座部１０４）を有する着脱蓋１０２が上記の筒状体６に相当し、空気弁１０１に常時固定可能な形態となっている。
【００６５】
図８において、案内体５２は、上部が着脱蓋１０２の下面に配設され、下部側が案内台座５０に載置可能に設けられ、案内台座５０と着脱蓋１０２の下面との間に挟み込まれるように収納室４３に収納されつつ、着脱蓋１０２と案内台座５０との間に遊びを有する状態で装着される。案内体５２の上部には、流体を連通させるための連通部６１が複数形成され、底面側の略中央位置には所定径の孔６２が設けられる。連通部６１は、複数の切欠き部位により等間隔に設けられ、この連通部６１により流体通過時の面積が決定される。
【００６６】
フロート弁体５３、遊動弁体５４は、ともに短円柱形状で偏平形状に設けられ、案内体５２の内部にフロート弁体５３の上方に遊動弁体５４が配設された状態でそれぞれ着脱可能に設けられる。遊動弁体５４の偏心位置には、上下に貫通した小空気孔６３が形成され、この偏心構造の小空気孔６３から空気が移動可能になっている。遊動弁体５４の上面側には、この遊動弁体５４が浮上したときに着脱蓋１０２の下面に当接シール可能なシールリング６４が装着されている。これらフロート弁体５３、遊動弁体５４は、弁箱３９内の水位に応じて浮力を受けて案内体５２に案内されてスムーズに上下移動可能であり、その動作により水道水に含まれる空気が空気弁の外部に排出される。
【００６７】
図８、９において、口金１００の差し金具２と押し輪４は、前述の本発明の口金１、２０に備えられたものと同様に構成されるが、着脱蓋１０２はΦ２５などの小径用であって、その構成はやや異なっており、本発明の構造のように大径部と小径部を有さないストレートな短尺筒状に形成され、また、案内体５２の開口部位よりも縮径した縮径部１０３に大空気口を有している。その他、アーム係合片１５や差し金具２との固定などの構成は、本発明の着脱蓋４０と同様に構成されている。さらに、図示していないが、この着脱蓋１０２にも、本発明における着脱蓋４０の構成と同様に、押し輪４との係止手段を適宜設けることもできる。
【００６８】
また、図８、９に示すように、弁箱３９の上部にはカバー体６５が取付けられる。カバー体６５は例えばステンレスなどの金属製からなり、弁箱３９の上部を包囲可能な形状に形成され、着脱蓋１０２の大空気孔と大気とを連通させた状態で被覆するように着脱蓋１０２の上部又は弁箱３９の上部に着脱可能に設けられる。図示しないが、カバー体６５の天面には、固着ボルト６６の頭部６６ａを挿脱可能なボルト孔部が形成され、このボルト孔部に続けて、頭部６６ａを係止可能なボルト孔部より細い長穴状の案内孔部が形成されている。カバー体６５は、弁箱３９に固着されて支柱となるボルト部材４７の上に載置され、このボルト部材４７に形成された雌螺子部４７ａに案内孔部を介して固着ボルト６６を螺着することで取り付けられる。これにより、着脱蓋１０２は、空気弁として用いる際に、下部に案内体５２、フロート弁体５３、遊動弁体５４が配設された状態で大空気孔と外気で連通する状態でカバー体６５によって被蓋される。
【００６９】
さらに、図示しないが、空気弁１０１の分解時において残圧を抜く等のため、弁箱３９の側面には内部と連通する開閉用コックが設けられていてもよい。
【００７０】
なお、図７には示していないが、前述したように、図８に示した案内体５２とその内部に収納された部品は、図７に示した空気弁３８の弁箱３９にも図８と同様にして収納することができ、また、このように図７の弁箱３９に収納された図示していない案内体も、図９に示した場合と同様にして空気弁３８を分解することができるので、容易に取り出すことができる。
【００７１】
図８、９に示した空気弁１０１において、この分解を具体的に説明すると、先ず、流水路から空気弁１０１への流路を遮断する。このとき、空気弁１０１内には残圧があるため着脱蓋１０２が押し上げられて固定蓋５５の底面側に密着した状態になり、回動が阻止された状態になる。この状態から弁箱３９に設けた図示しないコックを開操作すれば、空気弁１０１内の残圧が抜かれ、着脱蓋１０２への押し上げ力が開放されることで分解可能になる。
【００７２】
次いで、カバー体６５を弁箱３９から取り外すようにする。この場合、固着ボルト６６を緩めてカバー体６５を緩めた後、このカバー体６５を、固着ボルト６６の頭部６６ａの位置にボルト孔部を合わせるように回転させ、この状態でカバー体６５を上方に引き抜くようにすれば取り外しできる。図９は、図８の空気弁１０１を、このようにして分解した状態を示している。
【００７３】
なお、図８、９の着脱蓋１０２と案内体５２には、仮連結部６７、６８がそれぞれ設けられている。すなわち、大空気孔を有する着脱蓋１０２の下部と案内体５２の上部とに、相互に仮止め可能な例えば凹凸部位からなる仮連結部６７、６８が設けられ、これら仮連結部６７、６８を介して着脱蓋１０２と案内体５２とが着脱自在に連結されている。そして、図９に示すように、着脱蓋１０２を弁箱３９より取り出す際に、この連結により案内体５２と着脱蓋１０２とを連結状態で同時に引き出すようにしたものである。
【００７４】
このように着脱蓋１０２と案内体５２を同時に取り出し可能に設けることで、案内体５２、フロート弁体５３、遊動弁体５４の着脱を簡単にしつつ、これらフロート弁体５３、遊動弁体５４により空気弁の機能を発揮できる。この場合、仮連結部６７、６８同士の仮連結（凹凸部の嵌合）により着脱蓋１０２の案内体５２との仮止め状態を確保するので、着脱蓋１０２と案内体５２との中心がずれないことで大空気孔の口径を大きくでき、フロート弁体５３、遊動弁体５４、案内体５２を取り出して消火栓等の通水機能を発揮させる際の圧力損失をより小さく抑えることができる。よって、図７に示した筒状体６にも、これに大空気孔用弁座を設け常時空気弁に固定使用できる着脱蓋として使用する場合には、案内体に設けられた上記仮連結部（凹部）に応じる形態で、仮連結部（凸部）を形成することもできる。
【００７５】
また、図６〜９に示したように、本発明の口金は、町野式カップリング２５と容易に着脱自在であると共に、空気弁（配管機材）に対しても容易に着脱自在であるから、この口金と空気弁を臨時の消火栓として利用可能であるほか、この口金と空気弁を介して、配管内の洗浄やメンテナンスも可能である。
【００７６】
更に、本発明は、材質等を含め、前記実施の形態の記載に限定されるものではなく、本発明の特許請求の範囲に記載されている発明の要旨を逸脱しない範囲で種々の変更ができるものである。
【符号の説明】
【００７７】
１、２０  口金
２  差し金具
３  外周
４  押し輪
５  下部
６  筒状体（着脱蓋）
１１  鍔部
１１ａ  側片
１７  係合突部（係止手段）
１７ａ  側部
２２  上面
２１  環状凹部（係止手段）
３７  開口部
３８  空気弁（配管機材）
３９  弁箱
【図１】
2018188927.tif 000003
【図２】
2018188927.tif 000004
【図３】
2018188927.tif 000005
【図４】
2018188927.tif 000006
【図５】
2018188927.tif 000007
【図６】
2018188927.tif 000008
【図７】
2018188927.tif 000009
【図８】
2018188927.tif 000010
【図９】
2018188927.tif 000011